(57)【要約】本発明は、光学的測定装置（１）を着用する被検者（３１）の少なくとも一方の眼（１０ｌ，１０ｒ）における少なくとも１つのパラメータを捕捉する光学的測定装置（１）に関し、この装置は、被検者（３１）の頭部に光学的測定装置（１）を固定するよう構成したフレーム（４）と、少なくとも一方の眼（１０ｌ，１０ｒ）における少なくとも１つのパラメータを光学的に捕捉するよう構成した少なくとも１つの捕捉ユニット（３ｌ，３ｒ）と、少なくとも一方の眼（１０ｌ，１０ｒ）を照射する照射ユニット（９，２１，２２）とを備え、照射ユニット（９，２１，２２）により照射特性を調整可能とする。【選択図】図２
2014509533.tif 000002
【特許請求の範囲】
【請求項１】
光学的測定装置（１）を着用する被検者（３１）の少なくとも一方の眼（１０ｌ，１０ｒ）における少なくとも１つのパラメータを捕捉する光学的測定装置（１）であって、
前記被検者（３１）の頭部に前記光学的測定装置（１）を固定するよう構成したフレーム（４）と、
前記少なくとも一方の眼（１０ｌ，１０ｒ）における少なくとも１つのパラメータを光学的に捕捉するよう構成した少なくとも１つの捕捉ユニット（３ｌ，３ｒ）と、
前記少なくとも一方の眼（１０ｌ，１０ｒ）を照射する照射ユニット（９，２１，２２）とを備えた、該光学的測定装置において、
前記照射ユニット（９，２１，２２）により照射特性を調整可能にした、ことを特徴とする光学的測定装置。
【請求項２】
請求項１記載の光学的測定装置（１）において、前記照射ユニット（９，２１，２２）は、時間的照射シーケンス及び／又は空間的照射分布に関して調整可能に構成した、ことを特徴とする光学的測定装置。
【請求項３】
請求項１又は２記載の光学的測定装置（１）において、前記照射ユニット（９，２１，２２）は、前記光学的測定装置（１）を前記被検者（３ｌ）の頭部に固定した状態で、前記照射ユニット（９，２１，２２）が前記少なくとも一方の眼（１０ｌ，１０ｒ）に対面し、放つ放射が少なくとも部分的に前記少なくとも一方の眼（１０ｌ，１０ｒ）に当たるように、前記フレーム（４）に取付けられた、ことを特徴とする光学的測定装置。
【請求項４】
請求項１〜３のうちいずれか一項記載の光学的測定装置（１）において、前記照射ユニット（２１，２２）は、少なくとも２つの照射セグメント（９）を有し、これら照射セグメント（９）は、その明度及び／又は光の色及び／又は主放射方向及び／又は発光の時間的シーケンスに関してそれぞれ個別に調整可能とした、ことを特徴とする光学的測定装置。
【請求項５】
請求項１〜４のうちいずれか一項記載の光学的測定装置（１）において、前記照射ユニット（９，２１，２２）は、少なくとも１個の光ガイド及び／又は少なくとも２個の光源、とくに、発光ダイオード（９）を有する、ことを特徴とする光学的測定装置。
【請求項６】
請求項１〜５のうちいずれか一項記載の光学的測定装置（１）において、前記照射ユニット（９，２１，２２）は、可視光及び／又は赤外線スペクトル範囲にある光を発光するよう構成した、ことを特徴とする光学的測定装置。
【請求項７】
請求項１〜６のうちいずれか一項記載の光学的測定装置（１）において、
前記フレーム（４）は、メガネレンズ（８ｌ，８ｒ）を収容する少なくとも１個のフレーム素子を有し、前記光学的測定装置（１）を被検者（３１）の頭部に固定した状態で、前記フレーム素子が枠付けする部分が前記被検者（３１）の前記少なくとも一方の眼（１０ｌ，１０ｒ）の前方に位置し、
前記照射ユニット（９，２１，２２）は、前記フレーム素子上又は前記フレーム素子の範囲内に配置された、ことを特徴とする光学的測定装置。
【請求項８】
請求項１〜７のうちいずれか一項記載の光学的測定装置（１）において、前記少なくとも１つの捕捉可能なパラメータは、少なくとも一方の眼（１０ｌ，１０ｒ）の指向性及び／又は位置及び／又は瞼閉じ及び／又は瞳孔直径及び／又は角膜縁特性及び／又は強膜特性及び／又は虹彩特性及び／又は血管特性及び／又は角膜特性に関するものとした、ことを特徴とする光学的測定装置。
【請求項９】
被検者（３１）の少なくとも一方の眼（１０ｌ，１０ｒ）における少なくとも１つのパラメータを捕捉する方法であって、以下のステップ、すなわち、
・前記被検者（３１）の頭部に光学的測定装置（１）を固定する固定ステップであり、前記光学的測定装置（１）は、少なくとも１個の捕捉ユニット（３ｌ，３ｒ）及び照射ユニット（９，２１，２２）を備えたものとする、該固定ステップと、
・前記照射ユニット（９，２１，２２）により前記少なくとも一方の眼（１０ｌ，１０ｒ）を照射するステップと、
・前記少なくとも一方の眼（１０ｌ，１０ｒ）における少なくとも１つのパラメータを前記捕捉ユニット（３ｌ，３ｒ）によって光学的に捕捉するステップと
を含む、該方法において、さらに、以下のステップ、すなわち、
・照射特性を設定するステップと、
・前記設定した照射特性に従って前記照射ユニット（９，２１，２２）により前記少なくとも一方の眼（１０ｌ，１０ｒ）を照射するステップと
を含む、ことを特徴とする方法。
【請求項１０】
請求項９記載の方法において、前記少なくとも一方の眼（１０ｌ，１０ｒ）を照射するステップでは、前記照射ユニット（９，２１，２２）は、時間的照射シーケンス及び／又は空間的照射分布及び／又は照射パターンに応じて調節される、ことを特徴とする方法。
【請求項１１】
請求項９又は１０記載の方法において、前記少なくとも一方の眼（１０ｌ，１０ｒ）における少なくとも１つのパラメータを光学的に捕捉する前記ステップは、以下のサブステップ、すなわち、
・前記少なくとも一方の眼（１０ｌ，１０ｒ）における少なくとも２つの光反射及び／又は特徴を光学的に捕捉するステップと、
・前記捕捉した光反射及び／又は特徴によって前記少なくとも一方の眼（１０ｌ，１０ｒ）における少なくとも１つのパラメータを決定するステップと
を含む、ことを特徴とする方法。
【請求項１２】
請求項１１記載の方法において、前記少なくとも２つの光反射及び／又は特徴を前記照射ユニット（９，２１，２２）によって生ずる異なった照射で捕捉する、ことを特徴とする方法。
【請求項１３】
請求項１０〜１２のうちいずれか一項記載の方法において、以下のステップ、すなわち、
・前記被検者（３１）の視認挙動及び／又は眼の動き特性及び／又は瞳孔変化及び／又は外部条件及び／又は前記被検者（３１）の入力に関するデータを取得するステップと、
・前記取得したデータに応じて、前記時間的及び／若しくは空間的照射分布、並びに／又は照射パターンのための照射プログラムを設定するステップと
・前記設定した照射プログラムに従って前記時間的照射シーケンス及び／又は空間的照射分布及び／又は照射パターンを調節するステップと
を含む、ことを特徴とする方法。
【発明の詳細な説明】
【技術分野】
【０００１】
本発明は、光学的測定装置を着用する被検者の少なくとも一方の眼における少なくとも１つのパラメータを捕捉（取得）する光学的測定装置であって、被検者の頭部に光学的測定装置を固定するよう構成したフレームと、少なくとも一方の眼における少なくとも１つのパラメータを光学的に捕捉するよう構成した少なくとも１つの捕捉ユニットと、少なくとも一方の眼を照射する照射ユニットとを備える、光学的測定装置に関する。本発明は、さらに、少なくとも一方の眼の少なくとも１つのパラメータを捕捉する方法に関する。
【背景技術】
【０００２】
従来技術からヘッドマウント型の視線追跡デバイスは既知である。特許文献１は、人の眼の動きをモニタリングする装置を開示している。このシステムは、人の眼に着用するフレームと、このフレームに設けたエミッタであり、人の眼に向けて光を発生する発光器のアレイと、及び発光器のアレイからの光を検出するようフレームに設けたセンサのアレイとを有する。これらセンサは眼又は瞼における対応部分から反射する光を検出し、これにより目の反射部分が瞼によって覆われた時を示す出力信号を発生する。このシステムによれば、その人の眠気レベルをモニタリングすることができる。
【０００３】
特許文献２は、人の眼の動きを使用して通信するシステム及び方法について開示しており、この場合、人の眼に光を指向させる発光器と、発光器からの光を検出するセンサと、このセンサに接続し、センサから受け取った順次の光強度信号をデータのストリームに変換する、及び／又は信号を理解可能なメッセージに変換するプロセッサとを含む。
【０００４】
特許文献３は、人の眼の動きをモニタリングする視線追跡システムを開示しており、この場合、アイカメラ及びシーンカメラを備え、使用者の眼の画像及び使用者が見たシーンの画像を示す電子ビデオデータを結び付けることを行う。さらに、このシステムには、ビデオデータをデジタル化し、かつアイデータ及びシーンデータを２つの処理チャネルに振り分けるフレーム取込み器と、ビデオデータから、使用者の眼を点光源で照射することにより使用者の眼に形成される基準スポットの位置を決定するスポット位置モジュールを組込む。このシステムには、さらに、瞳孔位置モジュールを組込み、使用者の注視ラインを決定することができるようにする。
【０００５】
特許文献４は、基準ポイントとしての検査シーンに配置した１個又は複数個の赤外線信号源と、被検者が着用する少なくとも１個の眼鏡（めがね）と、人の注視ポイントを計算するデータ処理及び記憶ユニットとを有する、注視ポイント検出システムを開示している。この眼鏡は、赤外線信号源からの赤外線信号を検出し、また赤外線信号源追跡信号を発生する画像センサと、被検者の注視方向を決定しかつ視線追跡信号を発生する視線追跡ユニットと、及び検査シーン映像を撮影し得るカメラユニットとを備える。
【０００６】
特許文献５は、ビデオ画面ポインタを使用者注視に関連する注視ポイントに表示する視線追跡システムを開示している。このシステムは、使用者の眼に焦点を合わせたカメラと、カメラの注視位置を使用者の瞳孔に固定するようカメラに連結した支持体と、及びＣＰＵ及び視線追跡インタフェースを有するコンピュータとを備える。眼の中心を決定することにより、ビデオ表示画面上のポインタを注視ポイントに表示する。特許文献５は、本明細書の冒頭に記載の光学的測定装置を開示している。
【０００７】
特許文献６は、透明レンズと、少なくとも１個の光源と、及び複数個の光検出器とを有する視線追跡システムを開示している。透明レンズは、眼に隣接して配置し得るものとする。少なくとも１個の光源は透明レンズ内に配置し、眼に向かって光を発生するよう構成する。少なくとも１個の光源は可視光に対して透過性を示す。複数個の光検出器は透明レンズ内に配置し、少なくとも１個の光源から発生した光を受け、また眼から反射するよう構成する。各光検出器は、可視光に対して透過性を示し、眼から反射した光を受光したとき出力信号を供給するよう構成する。
【先行技術文献】
【特許文献】
【０００８】
【特許文献１】米国再発行特許第３９，５３９号明細書
【特許文献２】米国特許第６，１６３，２８１号明細書
【特許文献３】米国特許出願公開第２００４／０１９６４３３号明細書
【特許文献４】国際公開第２０１０／８３８５３号
【特許文献５】国際公開第２００４／０６６０９７号
【特許文献６】米国特許出願公開第２０１０／０２２０２９１号明細書
【発明の概要】
【発明が解決しようとする課題】
【０００９】
既知のヘッドマウント型視線追跡装置は、被検者の眼で反射する外部の迷光が視線追跡機能に悪影響を与えるという欠点がある。被検者の眼をモニタリングするカメラは、眼の動きを追跡し続けるのに使用されるはっきりとした眼の特徴と、外部からの照明条件から生ずる反射などの特徴との区別をすることができない。一般的に、照射状況は極めて厳密に規定されない。信頼性の高い視線追跡は、しばしば外部条件及び追跡機構を攪乱する望ましくない迷光によって阻害される。したがって、既知のヘッドマウント型視線追跡装置は、通常、限定された精度及び確実性しか得られない。検出精度を向上するためには、時間がかかり、困難な較正手順を必要とする。さらに、既存の視線追跡装置は、使用者の眼における種々の個別特性用に補正するために、広範囲にわたる多重ポイント較正ルーチン作業を必要とする。このような特性の１つとして、個別の角膜の乱視又は角膜の非球形性があり、このことは人口の約１／３にとって光学的補正が必要であり、視線追跡装置のための較正による個別の補正が必要になるという大きな問題がある。
【００１０】
本発明の目的は、眼を特徴付ける少なくとも１つのパラメータをより信頼性高く捕捉（取得）できる光学的測定装置及び方法を得ることにある。
【課題を解決するための手段】
【００１１】
この課題は、本発明による特許請求の範囲の請求項１の特徴を有する光学的測定装置、及び請求項９の特徴を有する方法により解決する。本発明の有利な実施形態は特許請求の範囲の独立請求項に従属する従属請求項に記載する。
【００１２】
本発明による光学的測定装置は、光学的測定装置を着用する被検者の少なくとも一方の眼における少なくとも１つのパラメータを捕捉するよう作用する。この光学的測定装置は、前記被検者の頭部に前記光学的測定装置を固定するよう構成したフレームと、前記少なくとも一方の眼における少なくとも１つのパラメータを光学的に捕捉するよう構成した少なくとも１つの捕捉ユニットと、前記少なくとも一方の眼を照射する照射ユニットとを備える。本発明によれば、前記照射ユニットにより照射特性を調整可能にする。
【００１３】
このようにして、極めて良好に規定された照射状況を生ずる。照射ユニットにより、被検者の眼における反射が意図した通りに生じ、この反射を捕捉ユニットが捕捉することができる。捕捉ユニットが行った捕捉を、ロックインに類似した技術（測定信号から背景信号を周期的に差し引く）に従って照射特性に相関付けることにより、背景光及び迷光を極めて良好に抑制することができる。捕捉ユニットは、こうして外部からの迷光に不感性を示すようになることができる。検出精度及び視線追跡能力は極めて高くなる。照射特性は、捕捉ユニットの認識パターンとして作用することができる。複雑な較正手順は不要になる。
【００１４】
光学的測定装置によれば、構造化照明によって、角膜乱視を直接評価することができる。このことは、個別の医療診断装置（角膜湾曲計）によって行うのが一般的であった。本発明の実施形態によれば、この測定能力を有利にヘッドマウント型装置に組入れ、また視線追跡装置に組合わせることができ、したがって、多重較正ポイントの代わりに、構造化照明によって角膜乱視の評価及び補正を統合化することができる。
【００１５】
有利には、照射ユニットは、時間的照射シーケンス及び／又は空間的照射分布に関して調整可能に構成する。照射ユニットは単独の照射素子を有する構成とすることができる。この場合、時間的照射シーケンスは、照射素子の時間的発光特性を変化させることによって得ることができる。時間的照射シーケンスは、切替え周波数をオン／オフすることによって付与される。代案として、照射ユニットは２個又はそれ以上の照射素子を有する構成とすることができる。この場合、時間的照射シーケンスは、個別の照射素子における相関付けした又は相関付けしない切替えによって付与することができる。照射ユニット内での各照射素子に対して、異なった時間的照射又は発光パターンを生ずることができる。各照射素子における発光強度の時間的周波数は、若干又はすべての他の照射素子におけるそれぞれの照射特性に依存するものとすることができる。空間的照射分布は、個別の照射素子の相関付けした照射時間トレースによって得ることができる。したがって、極めて良好に規定された照射パターンを生じ、少なくとも一方の眼に対する照射外部環境を極めて良好に規定することができる。照射パターンを巧妙に加工すればするほど、外部からの迷光からより容易に区別することができるようになる。さらに、照射パターンは、異なった２つのセンサタイプ、すなわち、カメラセンサ及び光ダイオード（アレイ）に対して、各センサタイプの感度及び解像度特性に特別に適合させた、異なった照射を眼に当てるよう照射パターンを発生することができる。
【００１６】
有利には、照射ユニットは、前記光学的測定装置を前記被検者の頭部に固定した状態で、前記照射ユニットが前記少なくとも一方の眼に対面し、放つ放射が少なくとも部分的に前記少なくとも一方の眼に当たるように、前記フレームに取付けられる。このようにして、眼における反射は意図した通りに生ずることができる。さらに、この反射は照射ユニットと同一の照射パターンを示す。反射は捕捉ユニットによって容易に捕捉することができ、また照射パターンは、計画的な反射と望ましくない迷光からの反射とを区別する際立った特徴として作用することができる。検出精度は極めて高くなるよう改善される。
【００１７】
有利には、照射ユニットは、少なくとも２つの照射セグメントを有するものとし、これら照射セグメントは、その明度及び／又は光の色及び／又は主放射方向及び／又は発光の時間的シーケンスに関してそれぞれ個別に調整可能とする。照射セグメントは照射ユニットの照射素子と同一のものとすることができる。照射セグメントは、その照射特性に関して照射ユニット内で個別の独自な均質性を有する構成要素とすることができる。この場合、異なった照射セグメントは、空間的に離して配置するか、又はその照射特性に関して容易に区別可能にすることができる。明度及び／又は光の色及び／又は主放射方向及び／又は発光の時間的シーケンスは、捕捉ユニットによって容易に捕捉し、また識別することができる。
【００１８】
一実施形態において、照射ユニットは、少なくとも１個の光ガイド及び／又は少なくとも２個の光源、とくに、発光ダイオードを有する。発光ダイオードは寿命が長く、電力はそれほど必要ではなく、また極めて良好に規定された発光特性を有する。したがって、発光ダイオードは、携帯型光学的測定装置に極めて良好に適用できる。光ガイド及び発光ダイオードによれば、点光源のような照射を実現することができる。したがって、空間的照射パターンを極めて良好に規定することができる。
【００１９】
有利には、照射ユニットは可視光を発生するよう構成する。付加的に又は代替的に照射ユニットは、赤外線スペクトル範囲にある光、とくに、７５０ナノメートル〜１０００ナノメートルの間における波長範囲の光を発生するよう構成することができる。赤外線光は望ましくない外部迷光から極めて容易に区別することができる。このようにして、検出精度は一層改善される。
【００２０】
有利には、フレームは、メガネレンズを収容する少なくとも１個のフレーム素子を有し、光学的測定装置を被検者の頭部に固定した状態で、前記照射ユニット（９，２１，２２）が前記少なくとも一方の眼（１０ｌ，１０ｒ）に対面し、放つ放射が少なくとも部分的に前記少なくとも一方の眼（１０ｌ，１０ｒ）に当たるように、前記フレーム（４）に取付けられる。この結果、照射ユニットを保持する付加的な素子は不要になる。とくに、光学的測定装置は、被検者が普通のメガネとして着用できる眼鏡装置として設計することができる。照射ユニットは、フレームに完全に組入れることができ、また装置全体を通常のメガネ装置に似たものとすることができる。このことは被検者にとって受け入れ易くなる。とくに、この場合、照射ユニットは数個の個別の照射セグメント又は照射素子を有する構成とし、これら照射セグメント又は照射素子を各メガネレンズの周縁に３６０゜にわたり円形となるよう位置決めすることができる。これにより、極めて良好に規定された空間的照射分布を生ずることができる。
【００２１】
有利には、捕捉された少なくとも１つのパラメータは、少なくとも一方の眼における、指向性及び／又は位置及び／又は瞼閉じ及び／又は瞳孔直径及び／又は角膜縁特性及び／又は強膜特性及び／又は虹彩特性及び／又は血管特性及び／又は角膜特性に関する。とくに、捕捉された少なくとも１つのパラメータは、角膜半径（前側、後側）、眼球半径、瞳孔中心から角膜中心までの距離、角膜中心から眼球中心までの距離、瞳孔中心から周縁中心までの距離、角膜曲率測定法による屈折率、角膜屈折率、硝子体液屈折率、水晶体から眼球中心まで、及び角膜中心まで、及び角膜頂点までの距離、水晶体屈折率、光軸の向き、瞳孔軸（アクロマチック軸）の向き、見る方向のライン、フラット軸及びスティープ軸における乱視度（ジオプター）及び向きの角度、虹彩直径、瞳孔直径（瞳孔長軸及び短軸）、瞳孔面積、周縁長軸及び短軸、眼の回転方向ねじれ、眼球内距離、眼の両眼転導、眼の内転／外転に対する統計、及び眼の上げ／下げ統計に関する。光学的測定装置は、視線追跡装置として動作することができる。
【００２２】
本発明による方法は、被検者の少なくとも一方の眼における少なくとも１つのパラメータを捕捉するよう作用し、以下のステップ、すなわち、
・前記被検者の頭部に光学的測定装置を固定する固定ステップであり、前記光学的測定装置は、少なくとも１個の捕捉ユニット及び照射ユニットを備えたものとする、該固定ステップと、
・前記照射ユニットにより前記少なくとも一方の眼を照射するステップと、
・前記少なくとも一方の眼における少なくとも１つのパラメータを前記捕捉ユニットによって光学的に捕捉するステップと、
・照射特性を設定するステップと、
・前記設定した照射特性に従って前記照射ユニットにより前記少なくとも一方の眼を照射するステップと
を含む。
【００２３】
有利には、少なくとも一方の眼を照射するステップでは、前記照射ユニットは、時間的照射シーケンス及び／又は空間的照射分布に応じて調節する。
【００２４】
有利には、少なくとも一方の眼における少なくとも１つのパラメータを光学的に捕捉する前記ステップは、以下のサブステップ、すなわち、
・前記少なくとも一方の眼における少なくとも２つの光反射及び／又は特徴を光学的に捕捉するステップと、及び
・前記捕捉した光反射及び／又は特徴によって前記少なくとも一方の眼における少なくとも１つのパラメータを決定するステップと
を含む。
【００２５】
とくに、少なくとも２つの光反射は照射ユニットによって計画的に発生させることができる。一実施形態において、少なくとも２つの光反射における第１光反射を照射ユニットの第１照射素子によって発生させるとともに、少なくとも２つの光反射における第２光反射を照射ユニットの第２照射素子によって発生させる。このとき、少なくとも２つの光反射は、照射ユニットが発生する照射パターンを直接反射する。
【００２６】
代案として、照射ユニットは、単に眼を照射するためにだけ使用し、少なくとも一方の眼の特徴は、その眼に対応する捕捉ユニットによって検出可能となるようにする。このためには、特別な照射色を使用することができる。
【００２７】
有利には、少なくとも２つの光反射及び／又は特徴を前記照射ユニットによって生ずる異なった照射で捕捉する。
【００２８】
一実施形態において、本発明方法は、以下の付加的なステップ、すなわち、
・前記被検者の視認挙動及び／又は眼の動き特性及び／又は瞳孔変化及び／又は外部条件及び／又は前記被検者の入力に関するデータを取得するステップと、
・取得したデータに応じて、前記時間的及び／若しくは空間的照射分布、並びに／又は照射パターンのための照射プログラムを設定するステップと
・前記設定した照射プログラムに従って前記前記時間的照射シーケンス及び／又は空間的照射分布及び／又は照射パターンを調節するステップと
を含む。
【００２９】
このようにして、照射プログラムは、それぞれに対応する状況に対して動的に調整することができる。被検者の視認挙動及び／又は眼の動き特性及び／又は瞳孔変化及び／又は外部照明条件に対して、異なった照射プログラムを最良となるよう適合させることができる。捕捉ユニットはこのような変化を決定し、この情報に基づいて照射プログラムを自動的に調整することができる。被検者が検出精度を上げる必要性を認識する場合、代替的に又は付加的に照射プログラムを手動で設定できるようにすることができる。光学的測定装置を暗闇で（例えば、夜中に）使用する場合、異なった照射プログラムを導入して、白昼条件で使用する照射プログラムよりも良好な検出結果となるようにすることができる。少なくとも１つのパラメータを捕捉する方法によれば、この外的変化に自動的に調整し、これにより、外的条件に大きな変化があっても極めて良好な視線追跡結果が得られる。
【００３０】
本発明の他の特徴は、特許請求の範囲、図面及び図面の説明から導くことができるであろう。上述した説明におけるすべての特徴及び特徴の組合せ、並びに以下に図面につきさらに説明する及び／又は単に図面で示す特徴及び特徴の組合せは、各場合に示した組合せで使用できるだけでなく、異なる組合せ又はそれ自体でも使用できる。
【００３１】
本発明を、以下に個別の好適な実施形態につき、また添付図面につきより詳細に説明する。
【図面の簡単な説明】
【００３２】
【図１Ａ】本発明の一実施形態による眼鏡デバイスの正面図である。
【図１Ｂ】図１Ａに示す眼鏡デバイスの側面図である。
【図１Ｃ】図１Ａに示す眼鏡デバイスの頂面図である。
【図１Ｄ】図１Ａに示す眼鏡デバイスの斜視図である。
【図２】眼鏡デバイスの背面図である。
【図３】光路を眼に指向させる転向素子を使用するアイカメラを有する眼鏡デバイスの線図的背面図である。
【図４】アイカメラの向きを線図的に示す眼鏡デバイスの側面図である。
【図５】眼鏡デバイスが有する個別電子コンポーネントの線図的説明図である。
【図６Ａ】従来技術による光学的測定デバイスで得られる大きなパララックス誤差を示すシンボマーク付きの説明図である。
【図６Ｂ】本発明の実施形態による眼鏡デバイスによりパララックス誤差がないことを示すシンボマーク付きの説明図である。
【図７】パララックス誤差モデルを示す説明図である。
【図８】従来技術による測定デバイス及び本発明の実施形態による測定デバイスのパララックス誤差を比較する説明図である。
【図９Ａ】シーンカメラが捕捉する第１視野を示す説明図である。
【図９Ｂ】シーンカメラが捕捉する第２視野を示す説明図である。
【図１０Ａ】アイカメラの光路がアイカメラから眼にいたる直線上に存在する眼鏡デバイスの線図的側面図である。
【図１０Ｂ】アイカメラの光路がアイカメラからミラーを経て眼に至る眼鏡デバイスの線図的側面図である。
【発明を実施するための形態】
【００３３】
図面において、同一素子又は同一機能を有する素子には同一の参照符号を付けて示す。図２，３及び４図は、デカルト座標軸及び互いにに直交するｘ，ｙ及びｚ軸を有する同一基準座標系を示す。
【００３４】
図１Ａ〜１Ｄには、それぞれ眼鏡デバイス１又は視線追跡デバイスの形式とした光学的測定装置を示す。眼鏡デバイス１は、人が頭部に通常のメガネのように着用することができる設計とする。このデバイスは、着用する人の耳に眼鏡デバイスを支持する２つのサイドバー５ｌ及び５ｒを有するフレーム４を備える。さらに、眼鏡デバイス１は、鼻サポート７によって頭部の所定位置に保持する。主フレームは固有の幅ｗ１及び高さｈを有する。その長さｌは、サイドバー５ｌ及び５ｒの長さに基づく。図１Ｃに示すように、サイドバー５ｌ及び５ｒは、フレーム４の前方部分にヒンジ連結し、これにより、サイドバー５ｌ及び５ｒ相互間の距離ｗ２が拡大又は減少（図１Ｃに示すサイドバー５ｌを破線で示したサイドバー参照）できるようにする。
【００３５】
代案として、光学的測定装置は、普通のメガネの形式として設計せず、フェイスシールド付きのフレームを形成し、またフレームインサートを形成するヘルメットに類似する設計とすることができる。
【００３６】
フレーム４において鼻サポート７上方にシーンカメラ２を据え付ける。シーンカメラ２はフレーム４に取り付けるか、又はフレーム４内に一体化する。シーンカメラ２によれば、眼鏡デバイス１を着用するとき、被検者が見るのと同様の視野を撮影できる。フレーム４の下方部分において、眼鏡デバイス１には２つのアイカメラ３ｌ，３ｒを設ける。眼鏡デバイス１を人が着用するとき、人の眼は、フレーム４に適正な角度で組入れたアイカメラ３ｌ，３ｒが捕捉することができる。アイカメラ３ｌ，３ｒは、それぞれ人の左眼及び右眼を、すなわち、人の眼の特性を撮影する。
【００３７】
フレーム４は、メガネレンズ８ｌ，８ｒを装着し、したがって、フレームインサートを形成する２つの開口を有する。シーンカメラ２及びアイカメラ３ｌ，３ｒが撮影した映像は、サイドバー５ｌ及び５ｒ内に組入れた１個又は複数個の前処理ユニット６で処理する信号を生ずる。
【００３８】
図２は、眼鏡デバイス１の内側から見た図を示す。フレーム部分のメガネレンズ８ｌ，８ｒを包囲するリムに沿って、数個の発光ダイオード（ＬＥＤ）９をリング状に配置する。眼鏡デバイス１を人が着用するとき、これらＬＥＤ９は被検者の眼を規定様式で照射する。ＬＥＤ９は、被検者の眼ですべての生じ得る注視角度で反射（角膜反射）する。これら反射をアイカメラ３ｌ，３ｒによって検出することができ、また視線追跡に使用することができる。
【００３９】
ＬＥＤ９は、特定時間パターンに従って個別に、又はグループ毎に、又はすべて一斉にストロボ的特性で又は空間的変化をつけて、スイッチをオン・オフする。異なったＬＥＤ９又はＬＥＤ９のグループ毎にオン・オフする切替えの周波数を変化させることができる。ＬＥＤ９の所定グループは、他のグループがまさにスイッチオフする時点でちょうどスイッチオンする。特定の空間的及び時間的相関パターンは、スイッチング特性及び照明特性に関連して実現する。このようにして、アイカメラ３によって容易に認識することができる反射パターンを眼で生ずる。
【００４０】
最も重要な電子コンポーネントとともに全体のセットアップ構成を図５に示す。アイカメラ３ｌ，３ｒは、特定カメラ電子機器１５に対して長さ１００ｍｍのケーブル１４により接続する。とくに、アイカメラ３ｌ，３ｒは、基本的電子コンポーネントのみを有するとともに、大部分の電子コンポーネントはカメラ電子機器１５内に配置する。このようにして、アイカメラ３ｌ，３ｒの主要な「光学的部品」は、カメラ電子機器１５内の主要「電子部品」から離れた位置に配置することができる。つぎに、双方の部品は、可撓性のＰＣＢケーブル１４によって接続することができる。このようにして、アイカメラ３ｌ，３ｒ内の光学的センサ及び基本電子コンポーネントは、極めて小さくコンパクト性の高な統一体をなすとともに、電子機器１５内の嵩張る電子コンポーネントはより空間的余裕のある集積回路板上の任意な位置に配置することができる。電子機器１５は前処理ユニット１６に接続し、この前処理ユニット１６は、アイカメラ３ｌ，３ｒからの信号を処理することができる。前処理ユニット１６は、眼鏡デバイス１のサイドバー５ｌ，５ｒ内に配置した前処理ユニット６と同一のとすることができる。前処理ユニット１６はＵＳＢハブ１９に接続する。フレーム４に設置したＬＥＤ９は、メガネレンズ８ｌ，８ｒの周りにそれぞれリング状に配列した第１赤外線ＬＥＤチェーン２１及び第２赤外線ＬＥＤチェーン２２を形成する。第１及び第２赤外線ＬＥＤチェーン２１及び２２は、赤外線ＬＥＤ用の一定電流源２０に接続し、この一定電流源２０はＵＳＢハブ１９にも接続する。ＵＳＢハブ１９は、さらに、赤外線ＬＥＤ用の一定電流源２０のための電源としても作用する。赤外線ＬＥＤチェーン２１及び２２のＬＥＤ９は、個別にスイッチのオン・オフを行うことができる。このことを行うには、赤外線ＬＥＤチェーン２１及び２２のＬＥＤ９を赤外線ＬＥＤ用の一定電流源２０に並列ネットワーク状に接続し、各ＬＥＤ９用の個別電気スイッチを実装する。
【００４１】
ＵＳＢハブ１９は、ＵＳＢ２．０ケーブル２５を介して前処理ユニット２６に接続する。前処理ユニット２６内で処理した信号は、最終的にパーソナルコンピュータ２７内で分析し、このコンピュータは記録装置２８を含む。眼鏡デバイス１におけるインタフェースを形成する付加的な補助／同期ポート１３もＵＳＢハブ１９に接続する。補助／同期ポート１３は、他の電子デバイスと同期をとり、またパラレルなデータ取得をトリガするためのインタフェースとして作用することができる。電子機器１５、前処理ユニット１６、ＵＳＢハブ１９、及び赤外線ＬＥＤ用の一定電流源２０は、共通のプリント回路板ＰＣＢ２３上に配置する。
【００４２】
このセットアップ構成と同様に、シーンカメラ２も１００ｍｍケーブル１４により電子機器１５に接続する。この場合、電子機器１５は、第２プリント回路板ＰＣＢ２４上に配置し、この第２プリント回路板ＰＣＢ２４は、さらに、前処理ユニット１７も有する。前処理ユニット１７は、ダビンチ・デジタル信号プロセッサ（ＤＳＰ）により電子機器に基づくものとすることができる。前処理ユニット１７は、電子機器１５から受け取る信号をエンコードする、ＭＰＥＧエンコーダ１８を含む。マイクロフォン１２も前処理ユニット１７に接続することができる。ＰＣＢ２４上に配置した前処理ユニット１７をＵＳＢハブ１９に接続する。このようにして、シーンカメラ２が取得した処理信号を最終的にパーソナルコンピュータ２７内で分析する。
【００４３】
前処理ユニット６，１６，１７及び２６は、２個のアイカメラ３ｌ，３ｒ及びシーンカメラ２により発生した３つの画像ストリームのうち、少なくとも１つの画像ストリームを圧縮することができる。この場合、異なる代替案が可能である。前処理ユニットは、１個のカメラの画像ストリームのみを圧縮するとともに、各カメラはそれ自身の前処理ユニットを有する。代案として、単独の前処理ユニットがすべてのカメラの画像ストリームを圧縮することができ、さらに、前処理ユニットは、システムインタフェース及び対応のソフトウェアを介して、解像度調整による帯域幅、関心領域、フレームレート及び圧縮パラメータを管理するよう構成可能にすることができる。前処理ユニットは、カメラによる画像撮影を同期的にトリガするよう設計する。カメラは、各撮影した画像にタイムスタンプを付与し、これらタイムスタンプを使用して、オフラインでいくつかの又はすべてのカメラデータストリームの同期をとることができるようにする。
【００４４】
前処理ユニットは、カメラの集積回路板上、又はヘッドマウント内若しくはヘッドマウント上に配置した個別の集積回路板上（例えば、眼鏡デバイス１のサイドバー５ｌ，５ｒ内の）、又は例えば、ベルトのような被検者３１が着用する個別のハウジング内のいずれかに配置することができる。
【００４５】
眼鏡デバイス１は、さらに、外部センサからリアルタイムでデータを取得できる補助インタフェースを有することができる。このようなセンサとしては、バイオメトリックセンサ（限定しないが、ＥＥＧ，ＥＣＧ等を含む）、姿勢センサ（限定しないが、加速度計、磁力計、ジャイロスコープ等を含む）がある。つぎに、外部センサのデータストリームをカメラ２，３ｌ及び３ｒから取得したデータストリームと同期させることができる。さらに、外部クロック又はトリガ信号を供給し、これらを使用して外部センサがシステムと自身を同期させることができる。インタフェースから取得したデータの帯域幅は、システム内に統合した基板取付処理リソースによって専用記録ユニット２８内に縮小又は圧縮することができる。
【００４６】
アイカメラ３ｌ，３ｒは、可視光又は近赤外光のいずれかに適合可能である。アイカメラは、使用者の顔面を２分割する垂直中心ラインに対して対称的に配置する。アイカメラ３ｌ，３ｒは、眼１０ｌ，１０ｒの前方かつ下方にそれぞれ配置し、例えば、１対のメガネレンズ８ｌ，８ｒにおける下側のリム内若しくはリムで眼１０ｌ，１０ｒに向かって３０゜〜５０゜の角度をなすよう、またフレーム４内に３０゜〜５０゜の角度をなすよう位置決めすることができる。
【００４７】
一実施形態において、アイカメラ３ｌ，３ｒは近赤外光に対して感受性があるものとする。これらは６４０×４８０の解像度を有し、また６０Ｈｚの周波数で読み出すものとする。
【００４８】
シーンカメラ２は、使用者の顔を２つのハーフに分割する垂直中心線上に、又はフレーム４の鼻ブリッジに配置することができる。代案として、ヘルメット、キャップ又はヘッドバンドの縁、縁内又は縁に近接する位置に配置することもできる。シーンカメラ２はＨＤ（高解像度）及び／又は少なくとも７２０ｐ（１２８０×７２０ピクセル）の調整可能な解像度を有し、３０Ｈｚ又は６０Ｈｚで動作するものとすることができる。このシーンカメラは風景又は人物に対する指向性を有するよう取り付けることができる。さらに、その指向性は、風景から人物向けの指向性に変化（カメラロール）させることができ、また、カメラが指し示す方向を変化（カメラパン及びチルト）できるよう取り付けることができる。
【００４９】
単独のシーンカメラ２の代わりに、眼鏡デバイス１は１対のシーンカメラを有するものとすることができ、この場合、各シーンカメラは人物モード又は風景モードのいずれかの指向性を持たせることができる。さらに、各シーンカメラは、それぞれに対する他方の第２カメラとは独立的に指向性を持たせることができる。代案として、双方のシーンカメラ２を、互いに異なる、又は互いに異ならない固定指向性にすることができる。
【００５０】
さらに、プリズム又はレンズをシーンカメラ２の前面に取付け、メガネに対するシーンカメラ２の視野の異なった位置決め、とくに、近接レンジ読取り用途向けのより下方に向かう視野の位置決めを生ずるようにすることができる。
【００５１】
６個のＬＥＤ９を各メガネレンズ８の周りに配置する。ＬＥＤは、赤外線波長レンジ（典型的には７５０ｎｍより長く、１０００ｎｍ未満）にあり、中心波長が８５０ｎｍの光を発生する。ＬＥＤは赤外線ＬＥＤ用一定電流源２０によって供給される５０ｍＡの電流によって駆動される。
【００５２】
ＬＥＤ９により直接眼を照射する代わりに、光ガイドを用いる実施形態も考えられる。１個又は数個の光ガイド（例えば、光ファイバ）セグメントを使用することができる。眼の照射は、合焦光学系（構造化照射）で実施することができる。ＬＥＤ９の代わりに、適当な回折光学的又はレーザーを使用して、眼を照射するためのコヒーレント光のパターンを発生させることができる。光源を光学的素子（例えば、合焦光学系又は回折光学系）と一緒に使用して、眼１０ｌ，１０ｒにおける反射パターンを生ずることができる。照射源は可視光又は近赤外光のいずれかを発生できるものとする。照射源は、フレーム４内又はフレーム４上で、とくに、メガネレンズ８ｌ，８ｒの周りに円形状配列となるよう位置決めする。代案として、照射源は、ヘッドマウントディスプレイのフレームのリムに配置することができる。とくに、被検者３１の眼の表面で反射パターンを生ずるよう設計する。
【００５３】
図２に示す眼鏡デバイス１を被検者が着用するとき、図１０Ａに示す状況が簡単に実現される。アイカメラ３は、被検者の頭部に固定した眼鏡デバイス１により、眼１０における少なくとも１つのパラメータを取得する光路Ｍは、アイカメラ３から眼１０に至る直線上に存在する。
【００５４】
図３及び図１０Ｂは、眼鏡デバイス１の異なった形態を示す。眼鏡デバイス１は、フレーム４に取付けた光学的転向素子をなすミラー１１を有し、ミラー１１及びアイカメラ３は、被検者の頭部に固定した眼鏡デバイス１により、眼１０における少なくとも１つのパラメータを取得する光路Ｍが、アイカメラ３からミラー１１を経て眼１０に至るようフレームに配置する。図３の３次元的表示は、眼鏡デバイス１を後方又は内側から見た状態を示す。この図において、左眼１０ｌ及び右眼１０ｒの反射が、それぞれメガネレンズ８ｌ及び８ｒに見える。座標系は、ｚ軸が投影面に指向するデカルト座標系である。
【００５５】
このように、アイカメラ３ｌ，３ｒは、眼１０ｌ，１０ｒの前方及び上方に取付け、光ガイド又はミラー１１を眼１０ｌ，１０ｒの前方及び下方、例えば１対のメガネレンズ８ｌ，８ｒの下側リム内又は下側リムに配置し、アイカメラ３ｌ，３ｒが各眼１０ｌ，１０ｒの前方及びは下方からの透視画像を取得し、またその画像が眼１０ｌ，１０ｒに見えるようにする。光ガイド又はミラー１１は、（平坦）ミラー、球面ミラー、ドームミラー、カスタムレンズ、ホログラフィック・イメージガイド等のいずれかとすることができる。ミラー１１は、特定波長レンジのみで反射でき、他のレンジに対しては透過性を示すものとすることができる。
【００５６】
ミラー１１は平坦ミラー又は球面ミラーのいずれかとすることができる。球面ミラーは、アイカメラ３の視野を平坦ミラーで得られる視野を越えて拡大するという利点がある。図３の形態によれば、さらに、光学系を眼１０に極めて（セット方向に）近接させて配置でき、したがって、人間工学的にまた審美的に改善をもたらす。被検者自身の視野はほとんど阻害されない。ミラー１１は、いわゆるホットミラーとすることができ、すなわち、このミラーは、可視波長範囲では透過性を示し、赤外線波長レンジでは高い反射性を有する。このミラーは極めて薄くかつ中空（いわゆるドーム状）にすることができ、したがって、屈折に起因するゆがみを減少することができる。それは、極めて低い屈折率（ＩＯＲ：index of refraction）を示す材料から形成することができる。
【００５７】
図１０Ａ及び１０Ｂ双方の場合、アイカメラ３は、眼１０における少なくとも１つのパラメータを取得する光路Ｍがフレームインサート、すなわちメガネレンズ８を除外するよう配置する。さらに、メガネレンズ８は、眼１０の光軸Ｋ及び光路Ｍがともに使用する単独の光学的素子として眼１０を有するよう配置する。さらに、光路Ｍは、メガネレンズ８の眼１０に対向する側に延びて存在（延在）する空間Ｓｐ内に完全に延在する。
【００５８】
図２及び３並びに図１０Ａ及び１０Ｂに示す実施形態それぞれは、ともに上瞼による眼閉じを少なくする。
【００５９】
図６Ａ〜８は、従来技術と比較して眼鏡デバイス１のパララックス誤差の減少を示す。図６Ａから分かるように、被検者が実際に眼の焦点を合わせている対象物の位置２９、及び眼鏡デバイス１が決定した注視ポイント３２は、従来既知の眼鏡デバイス１を使用するとき、通常は十分よく一致することはない。この作用は、通常、被検者が眼の焦点を合わせている対象物２９に近づけば近づくほど、一層顕著となる。しかし、本発明の実施形態による眼鏡デバイス１では、決定した注視ポイント３２と実際の対象物２９との間の一致度が極めてよく、測定距離が０.５ｍの短いものであったとしても、よく一致する（図６Ｂ参照）。このことは、眼球中心とカメラの焦点との間の距離を最小化することによって得られる。
【００６０】
この状況を図７で再び示す。眼１０及びシーンカメラ２を僅かに異なった位置に配置するとき、対象物２９に合焦するそれぞれの視野角における差は、対象物２９が眼１０及びシーンカメラ２それぞれに近づけば近づくほど一層顕著となる（すなわち、ｚの座標値が小さくなればなるほど、より大きいゆがみとなる）。眼鏡デバイス１は図６Ｂに示す状況に較正することができる。対象物２９は較正平面Ｐ上に位置し、また眼鏡デバイス１を較正することによって、着用者は、決定された注視ポイント３２がまさに実際の対象物２９にあると確信できる。較正は、一般的に被検者から若干離れた距離にある平面上で行う。このことは、シーンビデオフレームにおけるピクセルに対する測定した注視方向（角度）に関連する。この計算は、較正平面上に存在するポイントに対してのみ有効な結果を与える。較正平面上にないポイントに対しては、系統的な誤差（パララックス）が入ることになる。対象物２９からの眼鏡デバイスの距離が大きくなるとき、較正平面Ｐまでの距離と対象物２９までの実際の距離との差は顕著なずれを生ずる。本発明の実施形態による眼鏡デバイス１では、すべての距離ｄに対するこれらずれ又はパララックス誤差（図８に円形の記号Ｓ２で示す）は、従来技術によるデバイス（矩形の記号Ｓ１）によるものよりも相当小さい。細い×印は記号Ｓ２のグループに関連し、太い×印は記号Ｓ１のグループに関連する。×印は較正目的に使用された注視ポイント３２に対応する。
【００６１】
パララックス誤差は、眼の位置に対するシーンカメラ２の位置の関数として数学的にモデル化される。パララックスによる注視推定誤差は、数学的シミュレーションによって示される結果に従って、シーンカメラ２を眼１０にできるだけ接近させて配置することにより減少することができる。さらに、パララックス誤差は、両眼追跡から両眼転導を使用して注視ポイントまでの距離を推定することによって、また視線追跡デバイスに対する眼の位置を推定することによって補正することができる。
【００６２】
良好な結果を得るため、シーンカメラ２の視野を最適化することができる。標準光学系を有するシーンカメラ２の視野は、生理学上の注視レンジ全体をカバーしない（標準光学系の水平視野：４０゜〜５０゜; 典型的注視レンジ:６０％）。一実施形態において、シーンカメラ２の視野はそれぞれの用途に応じて最適化することができる。このような視野最適化を図９Ａ及び９Ｂで説明する。眼鏡デバイス１を着用する使用者は、同時に背景Ｂ及び携帯電話３０を見ている。図９Ａによれば、視野ＦＯＶ（field of view）１は主に背景Ｂをカバーする。被検者３１が携帯電話３０に目を落とすとき、注視方向の変化はアイカメラ３ｌ，３ｒ及びシーンカメラ２によって自動的に決定され、視野は風景指向性から人物指向性に切替えることによって自動的に調整される。このことは、シーンカメラ２をｚ軸周りに９０゜機械的に転回（ロール）することにより、又はシーンカメラ２の前面に光学的プリズムを使用することにより行うことができる。さらに、異なるチルト角度又はロール角度を有する２つのシーンカメラを使用することによっても可能である。代案として、光学的ビームスプリッタをシーンカメラ２の前方に使用することができる。
【００６３】
要するに、眼鏡デバイス１は、３個のカメラ、すなわち、２個のアイカメラ３ｌ，３ｒ及び少なくとも１個のシーンカメラ２よりなるヘッドマウント型視線追跡システムを形成する。３個のカメラ３ｌ，３ｒ及び２は、例えば、調整可能なフレームレート及び解像度によって、管理可能な帯域幅を有することができる。１個又は数個の前処理ユニット６，１６，１７及び２６は、カメラ２，３ｌ，３ｒから受け取ったビデオストリームの可変圧縮を行うのに設けることができる。ビデオストリームの圧縮レベルは、アイカメラ３ｌ，３ｒ及びシーンカメラ２のものと同一とする、又はアイカメラ３ｌ，３ｒ及びシーンカメラ２のものとは別個のものとすることができる。アイカメラ３ｌのフレームレートは全速力取得（撮影）に対応し、アイカメラ３ｒのフレームレートは１／１０速力取得に対応し、シーンカメラ２のフレームレートは１／２速力取得に対応するものとすることができる。異なったカメラのフレームレートを調整する代わりに、取得レートを同一となるよう選択し、データ処理をカメラ毎に異ならせて行うようにすることができる。一方のカメラによって得られたデータは、他のカメラによって得られたデータよりも多く圧縮するが、双方のカメラは同一のデータ量を取得するものとすることができる。さらに、異なる圧縮レートと異なる取得レートを組合わせることもできる。さらに、例えば、データを転送するとき、２つ目毎の取得画像を省き、ＣＰＵに送るデータ量を半分に減らすこともできる。カメラ２，３ｌ及び３ｒの信号は、ＰＣ２７内のＣＰＵに有線又は無線のインタフェース（図５参照）を介して転送することができる。他のデータ源用の補助インタフェース及びこれら他のデータ源との同期方法を眼鏡デバイス１に実装することができる。
【００６４】
眼鏡デバイス１は、数個の交換可能なピースよりなるシステムとして構成することができる。眼鏡デバイス１は、小さい鼻又は大きい鼻を有する顔用に、鼻ピース又は鼻支持体７の交換可能なセットを有する。このようにして、眼鏡デバイス１は問題なく視力補正メガネ上に着用することができる。さらに、眼鏡デバイス１は、所定波長レンジ用の異なる透光レベルを有する交換可能なメガネレンズ（例えば、透明メガネ又はサングラス）のための保持機構を有する。付加的に又は代替的に、交換可能なメガネレンズは、近赤外光学的フィルタを有し、照射源の波長にマッチし、また同一及び類似波長の外側から眼の表面に達する光の若干又はすべてをブロックし、眼の表面における信号対ノイズ比を改善できるようにする。眼鏡デバイス１は、アイカメラ３ｌ，３ｒ及びシーンカメラ２のためのマウント又はハウジングとして作用する、リム及び鼻ブリッジを有する。アイカメラ３ｌ，３ｒは、交換可能なメガネレンズ８ｌ，８ｒの背後に視野が広がるように取り付ける。
【００６５】
眼鏡デバイス１によれば、視線追跡、オキュロメトリクス、バイオメトリクス、及び位置及びモーション測定を行い、自由に動ける設定にした人間行動をできる限り完全に測定及び分類することができるようになる。ヘッドマウント型視線追跡装置は、較正フリーであり、乱視推定を行えるよう実現する。視線追跡機能はセットアップ時間がゼロである。調整は不要である。被検者３１は、眼鏡デバイス１を着用するだけで、使用を開始することができる。人の眼の動きにおける生理学的レンジ（水平方向に８０゜、垂直方向に６０゜）をカバーする極めて大きな注視追跡レンジを有する。眼鏡デバイスは、極めて堅牢であり、注視マッピングに高い精度を有する。眼鏡デバイスは、乱視を補償し、パララックスを少なくし、瞳孔軸線シフトを補償し、また較正フリー若しくは１点較正の特徴を使用して較正を行うことができる。さらに、民族（白色人種、アジア系人種、アフリカ系人種等）、性別及び年齢を問わず動作するよう設計する。シーンカメラ２の視野を最適化する。光学的センサ、慣性センサ又は磁気センサを使用することにより、頭部追跡機能を実装することができる。眼鏡デバイスは、さらに、バイオメトリックの特徴、例えば、瞳孔直径測定、及びＥＥＧ、ＥＣＧ等とのインタフェースをとって同期させる選択肢も与える。最後に、ヘッドマウントディスプレイに組入れることができる。バーチャル画像をパーソナルコンピュータのスクリーンにおける被検眼に投影することができる。さらに、眼の動き（注視、まばたき）を使用してバーチャル画像における「オブジェクト」との対話的相互作用を提供することができる。
【００６６】
頭部追跡機能は、３軸ジャイロスコープ、３軸加速度計及び／又は３軸磁力計を光学的センサとともに使用し、六次元的頭部追跡用に実現することができる。
【００６７】
要約すると、眼鏡デバイス１は、極めて固有の光学的及び電子的アーキテクチャを用意する。電子的アーキテクチャに関しては、割り当て可能な帯域幅を有する３個以上の高解像度カメラを眼鏡デバイス１に組込む。アイカメラ３ｌ，３ｒ及びシーンカメラ２用の個別の処理チャネルを設けることが考えられる。光学的アーキテクチャは、種々の特性を有する交換可能なメガネレンズによって特徴付けられる。アイカメラ３ｌ，３ｒの光路は、メガネ又はメガネレンズ８ｌ，８ｒそれぞれの背後に延在するものとする。さらに、ＬＥＤ９のセットにより、眼１０ｌ，１０ｒの極めて可変の照射を行うことができる。例えば、眼の周りの照射ジオメトリを制御することができる。特定ＬＥＤのサブセットは、ストロボ効果及び順序付けによって制御することができる。最後に眼の照射は、点光源、ライン光源又は２次元配列光源により行うことができる。
【符号の説明】
【００６８】
１                  眼鏡デバイス
２                  シーンカメラ
３,３ｌ,３ｒ        アイカメラ
４                  フレーム
５ｌ,５ｒ           サイドバー
６                  前処理ユニット
７                  鼻支持体
８,８ｌ,８ｒ        メガネレンズ
９                  ＬＥＤ
１０,１０ｌ,１０ｒ  眼
１１                ミラー
１２                マイクロフォン
１３                補助／同期ポート
１４                ケーブル
１５                電子機器
１６                前処理ユニット
１７                前処理ユニット
１８                ＭＰＥＧエンコーダ
１９                ＵＳＢハブ
２０                赤外線ＬＥＤ一定電流源
２１,２２           赤外線ＬＥＤチェーン
２３,２４           ＰＣＢ
２５                ＵＳＢ２.０ケーブル
２６                前処理ユニット
２７                パーソナルコンピュータ
２８                記録装置
２９                対象物
３０                携帯電話
３１                被検者
３２                注視ポイント
ｗ１,ｗ２           幅
ｈ                  高さ
ｌ                  長さ
ａ                  チルト角度
Ｋ                  光軸
Ｍ                  光路
Ｏ                  基準座標系の原点
Ｐ                  較正平面
Ｓｐ                空間
ｄ                  距離
Ｓ１,Ｓ２           記号
Ｂ                  背景
ＦＯＶ１,ＦＯＶ２   視野
ｘ,ｙ,ｚ            軸
【図１Ａ】
2014509533.tif 000003
【図１Ｂ】
2014509533.tif 000004
【図１Ｃ】
2014509533.tif 000005
【図１Ｄ】
2014509533.tif 000006
【図２】
2014509533.tif 000007
【図３】
2014509533.tif 000008
【図４】
2014509533.tif 000009
【図５】
2014509533.tif 000010
【図６Ａ】
2014509533.tif 000011
【図６Ｂ】
2014509533.tif 000012
【図７】
2014509533.tif 000013
【図８】
2014509533.tif 000014
【図９Ａ】
2014509533.tif 000015
【図９Ｂ】
2014509533.tif 000016
【図１０Ａ】
2014509533.tif 000017
【図１０Ｂ】
2014509533.tif 000018
【国際調査報告】
2014509533.tif 000019
2014509533.tif 000020